(57)【要約】【課題】構造簡単で構成部品が少なく、軽量であると同時に製造容易で低コストなグリルを提供する。【解決手段】グリル４のグリル庫８の横方向両側壁１８に、グリル皿１４の出し入れを連動させる伸縮手段１９を設ける。伸縮手段１９を、複数の棒状部材２０，２１，２２により構成して複数段に伸縮自在とする。各棒状部材２０，２１，２２は、後端から前端に向かって次第に細くなる形状に形成する。伸縮手段１９は、外側の棒状部材の前端側内周面に内側の棒状部材の後端側外周面が嵌合することにより、グリル皿１４の所定の引き出し量に対応する伸長寸法に規制される。【選択図】図２
2012117682.tif 000002
【特許請求の範囲】
【請求項１】
グリル庫の横方向両側壁の夫々に隣接配置されて前後方向に伸縮自在の伸縮手段を備え、該伸縮手段に連動してグリル庫内にグリル皿が出し入れされるグリルであって、
前記伸縮手段は、前後方向に長手の複数の棒状部材からなり、外周形状が大きい棒状部材の内部に外周形状の小さな棒状部材を進退自在に挿通支持して複数段に伸縮自在となるものにおいて、
各棒状部材は、後端から前端に向かって次第に細くなる形状に形成され、
前記伸縮手段は、外側の棒状部材の前端側内周面に内側の棒状部材の後端側外周面が嵌合することにより、前記グリル皿の所定の引き出し量に対応する伸長寸法に規制されることを特徴とするグリル。
【請求項２】
前記伸縮手段の各棒状部材は断面形状が円形に形成されていることを特徴とする請求項１記載のグリル。
【発明の詳細な説明】
【技術分野】
【０００１】
本発明は、グリル庫に出し入れ自在なグリル皿を備えるグリルに関する。
【背景技術】
【０００２】
従来、この種のグリルとして、グリル庫の横方向両側に伸縮手段を配置し、伸縮手段の伸縮に連動してグリル庫にグリル皿を出し入れするようにしたものが知られている（下記特許文献１参照）。この伸縮手段は、前後方向に長手の複数のパイプ部材を備えて複数段に伸縮できるようになっている。即ち、グリル庫の横方向両側に固定した固定パイプの内側に複数の可動パイプがその外周形状の大きい順に収容され、各可動パイプが前方に繰り出されるように構成されている。また、固定パイプ及び各可動パイプの内側には、ベアリング等による多数の転がり部材が設けられており、この転がり部材によって伸縮動作時の各パイプ部材の摺動が円滑に行えるようになっている。
【先行技術文献】
【特許文献】
【０００３】
【特許文献１】特開２００４−２６３８９９号公報
【発明の概要】
【発明が解決しようとする課題】
【０００４】
しかし、上記従来の伸縮手段は、転がり部材により各パイプ部材の移動を円滑に行うために、転がり部材と、この転がり部材により案内されるパイプ部材とを高い精度で当接させる必要があり、外側のパイプ部材の内面と、内側のパイプ部材の外面との間に高い平行度が要求される。
【０００５】
また、各パイプ部材をガタつき無く案内するためには多数の転がり部材が必要となるだけでなく、各パイプ部材の伸長時に抜け止めするストッパ等の規制手段も必要となるため、構造が複雑で部品点数が極めて多く、伸縮手段の重量が大となるだけでなくコストも高い。
【０００６】
更に、長さを有する各パイプ部材の内部に多数の転がり部材を配設しなければならないために、多数の複雑な製造工程が必要となり、製造効率も悪い。
【０００７】
本発明は、以上の点に鑑み、構造簡単で構成部品が少なく、軽量であると同時に製造容易で低コストなグリルを提供することを目的とする。
【課題を解決するための手段】
【０００８】
上記目的を達成するために、本発明は、グリル庫の横方向両側壁の夫々に隣接配置されて前後方向に伸縮自在の伸縮手段を備え、該伸縮手段に連動してグリル庫内にグリル皿が出し入れされるグリルであって、前記伸縮手段は、前後方向に長手の複数の棒状部材からなり、外周形状が大きい棒状部材の内部に外周形状の小さな棒状部材を進退自在に挿通支持して複数段に伸縮自在となるものにおいて、各棒状部材は、後端から前端に向かって次第に細くなる形状に形成され、前記伸縮手段は、外側の棒状部材の前端側内周面に内側の棒状部材の後端側外周面が嵌合することにより、前記グリル皿の所定の引き出し量に対応する伸長寸法に規制されることを特徴とする。
【０００９】
本発明のグリルに採用された伸縮手段は、外周形状が大きい棒状部材の内部に外周形状の小さな棒状部材を進退自在に支持して複数段に伸縮自在とされている。これによれば、各棒状部材が前方に繰り出されて伸長し、これに連動してグリル庫からグリル皿を引き出すことができる。
【００１０】
そして、伸縮手段は、各棒状部材が、後端から前端に向かって次第に細くなる形状とされているので、各棒状部材の繰り出しによりグリル皿を所定の引き出し量（例えば最大引き出し量）に対応する伸長寸法に伸長したとき、外側の棒状部材の前端側内周面に内側の棒状部材の後端側外周面が嵌合して、これ以上の伸長が規制される。従って、ストッパ等の規制手段を不要とすることができ、少ない部品で構成することができる。
【００１１】
更に、伸縮手段が収縮状態から繰り出し動作が行われているときには、各棒状部材が、その後端から前端に向かって次第に細くなる形状であることにより、外側の棒状部材の内周面と内側の棒状部材の外周面との間に適度な隙間が形成され、ベアリング等の転がり部材を用いなくても円滑な繰り出し動作が行われる。これにより、伸縮手段の構成部品が少なく、軽量に構成することができる。
【００１２】
また、上記のように構成した伸縮手段の各棒状部材は、外側となる棒状部材の大径側である後端から、内側となる棒状部材の小径側である前端を挿入することによって、複数段の棒状部材を順に内部に組み込むことができるので、その製造作業も極めて容易で効率よく行うことができる。
【００１３】
なお、伸縮手段の各棒状部材は中空に形成されたものが採用されるが、各棒状部材のうち、最も内側に位置する（外周形状が最も小さい）棒状部材については、中実に形成されたものを採用してもよい。
【００１４】
また、本発明のグリルにおける伸縮手段に採用可能な棒状部材は、その軸線に直行する方向における断面形状が多角形（主に四角形）のものや、断面形状が円形のものを採用することができる。
【００１５】
そして、各棒状部材として、断面形状が円形のものを採用した場合には、強度が高いだけでなく、グリル庫から伝達される熱による膨張が生じた際の変形を小とすることができる。更に、断面形状が多角形（主に四角形）の棒状部材に比べれば、断面形状が円形の棒状部材はその表面が湾曲しているので、例えば、各棒状部材が伸長状態となる焼き魚等の出し入れ時に、各棒状部材の表面に油分や水分が付着しても、比較的流下しやすく、また、使用者による汚れの拭き取り作業等の手入れ性も高い。
【図面の簡単な説明】
【００１６】
【図１】本発明の実施形態のグリルを具備するコンロの斜視図。
【図２】実施形態のグリルの斜視図。
【図３】実施形態のグリルの伸縮手段を示す説明的断面図。
【発明を実施するための形態】
【００１７】
図１は、システムキッチンのカウンタトップ(図示せず)に組み込むビルトイン式コンロを示している。このコンロは、カウンタトップに開設した開口に落とし込むようにして設置するコンロ本体１と、コンロ本体１の上面を覆うようにしてカウンタトップに載置する天板２とを備えている。
【００１８】
コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置している。天板２の後部にはグリル４用の排気口が開設され、この排気口を覆う排気カバー６が載置されている。各コンロバーナ３には、その内周空間に位置させて、五徳５上の調理容器の底面に当接してその温度を検出する鍋底温度センサ７が付設されている。
【００１９】
カウンタトップの下で前方に露出するコンロ本体１の前面部分には、後述するグリル庫８の前面開口を閉じるグリル扉９とその左右の前面パネル１０とが設けられている。各前面パネル１０には、各コンロバーナ３やグリル４に対応する複数の操作摘み１１が前面パネル１０の前方に出没自在に組み込まれている。
【００２０】
グリル４は、図１及び図２に示すように、コンロ本体１内に設置されるグリル庫８と、グリル庫８の前面を開閉自在に閉塞するグリル扉９とを備えている。
【００２１】
グリル庫８には、焼き網１２をその前後に垂設した脚片部１３を介して載置するグリル皿１４と、グリル皿１４を支持する皿支持枠１５とが収納されている。皿支持枠１５の先端にはグリル扉９が連結されており、グリル扉９の取っ手１６を把持して前方に引っ張ることで、焼き網１２及びグリル皿１４を引き出すことができるようになっている。なお、図１は、焼き網１２及びグリル皿１４を引き出した状態を示しており、図２は、皿支持枠１５から焼き網１２及びグリル皿１４を取り外した状態を示している。
【００２２】
グリル庫８の天井部１７の内側には図示しない上火バーナが設けられ、グリル庫８の横方向両側壁１８の内側には図示しない下火バーナが配置されている。
【００２３】
グリル庫８の横方向両側壁１８の外側には伸縮手段１９が配設されている。伸縮手段１９は、図３（ａ）及び図３（ｂ）に示すように、グリル庫８の横方向両側壁１８に図示しない取り付け部材により固定された固定パイプ部材２０（棒状部材）と、固定パイプ部材２０より外周形状が小さく、固定パイプ部材２０に前後方向に進退自在に収容支持された第１可動パイプ部材２１（棒状部材）と、第１可動パイプ部材２１より外周形状が小さく、第１可動パイプ部材２１に前後方向に進退自在に収容支持された第２可動パイプ部材２２（棒状部材）とにより構成されている。そして、第２可動パイプ部材２２の先端には図示しない連結部材を介してグリル扉９が連結されている。
【００２４】
更に、各パイプ部材２０，２１，２２は、何れも、金属製（実施形態のものはステンレス製）の丸パイプ（断面形状が円形に形成された棒状部材）であり、後端から前端に向かって次第に細くなる所謂テーパ状に形成されている。
【００２５】
そして、図３（ａ）に示すように、グリル庫８がグリル扉９により閉じられているときには、固定パイプ部材２０の内部に第１可動パイプ部材２１の略全長が収容され、第１可動パイプ部材２１の内部に第２可動パイプ部材２２の略全長が収容されて、伸縮手段１９はコンパクトに収縮した状態となる。
【００２６】
一方、伸縮手段１９が伸長するとき、固定パイプ部材２０の内部から第１可動パイプ部材２１が繰り出され、第１可動パイプ部材２１の内部から第２可動パイプ部材２２が繰り出される。そして、図３（ｂ）に示すように、最大に伸長された状態では、固定パイプ部材２０の先端側の内周面に第１可動パイプ部材２１の後端側の外周面が嵌り込み、第１可動パイプ部材２１の先端側の内周面に第２可動パイプ部材２２の後端側の外周面が嵌り込んで、これ以上の繰り出し動作が規制される。
【００２７】
かくして、グリル扉９の前面下部の取っ手１６を把持して手前に引いたり後方に押すことにより、伸縮手段１９が第１可動パイプ部材２１及び第２可動パイプ部材２２の進退動作により前後方向に伸縮し、これに連動して皿支持枠１５も前後動して、皿支持枠１５に支持されるグリル皿１４がグリル庫８にスムーズに出し入れされる。
【００２８】
以上のように、伸縮手段１９の各パイプ部材２０，２１，２２が、何れも後端から前端に向かって次第に細くなる所謂テーパ状に形成されていることにより、最大に伸長された時点でこれ以上の伸長を確実に規制することができ、ストッパ等の規制手段を不要として少ない部品で構成することができる。しかも、収縮状態から繰り出し動作が行われているときには、各パイプ部材２０，２１，２２の間に適度な隙間が形成され、ベアリング等の転がり部材を用いなくても円滑な繰り出し動作が行われる。これにより、伸縮手段の構成部品が少なく、軽量に構成することができる。
【００２９】
また、特に下火バーナを有する両面焼きグリルでは、グリル庫８の下部側の温度も高くなるため、伸縮手段１９の各パイプ部材２０，２１，２２がグリル庫８からの熱影響を受けやすくなるが、各パイプ部材２０，２１，２２として、テーパ状の丸パイプが採用されていることにより、グリル庫から伝達される熱による膨張が生じても、各パイプ部材の変形を小とすることができる。更に、丸パイプが採用された各パイプ部材２０，２１，２２は、その表面が湾曲していることによって調理時の水や油が付着したときに円滑に流下するので、伸縮動作の円滑性が損なわれることが防止されるだけでなく、使用者による汚れの拭き取り作業等の手入れ性もよい。
【００３０】
なお、実施形態においては、各パイプ部材２０，２１，２２としてテーパ状の丸パイプを採用したが、各パイプ部材として、断面四角形であって後端から前端に向かって次第に細くなる角パイプ等を採用してもよい。
【００３１】
また、実施形態においては、伸縮手段１９を３つのパイプ部材２０，２１，２２で構成したものを示したが、パイプ部材の数はこれに限るものではない。パイプ部材の数を増加させた場合には、収縮状態で一層コンパクトとなる。パイプ部材の数を少なくした場合には、収縮状態で比較的長くなるが、部品点数が少なくなる分、伸縮手段の組立工数を削減することができる。
【００３２】
また、実施形態においては、外周形状が最も小さい棒状部材を第２可動パイプ部材２２として中空に形成されているが、外周形状が最も小さい棒状部材は中実に形成されていてもよい。中実の棒状部材はパイプ状であるものに比べて外径の精度が高いため、円滑な収縮動作が得られる利点がある。
【００３３】
また、実施形態においては、ドロップイン式コンロに組み込むグリルに本発明を適用したものについて説明したが、卓上式コンロに組み込むグリル、更にはコンロに組み込まずに独立して設けられるグリルにも同様に本発明を適用することができる。また、上記実施形態は両面焼きグリルであるが、下火バーナを具備しない片面焼きグリルにも同様に本発明を適用できる。
【符号の説明】
【００３４】
４…グリル、８…グリル庫、１４…グリル皿、１８…側壁、１９…伸縮手段、２０，２１，２２…棒状部材。
【図３】
2012117682.tif 000003
【図１】
2012117682.tif 000004
【図２】
2012117682.tif 000005